(57)【特許請求の範囲】
【請求項１】
上方端面に針状の突き刺し針を有した丸棒状の支柱と、円筒状で圧縮コイルバネを内蔵し該支柱に上下方向に移動可能な状態に差し込み上端部に受台を有する移動体からなり、支柱下方端面に吸着盤を取り付けたことを特徴とする生ごみ袋の水切り用穴あけ具。
【発明の詳細な説明】
【技術分野】
【０００１】
本発明は、包装用ポリ袋等を生ごみ袋として再利用する際の水切り用穴あけ具に関する。
【背景技術】
【０００２】
使用済みで捨てられたプラスチック製品の公害が問題となって居り、その対策の一つとして該製品の使用量を減らすため再利用が有効であり、スーパー等で購入した肉類、魚介類や水漏れしそうな品物を自分自身で包装するロール状で用意された持ち手のないポリ袋等を使用後、例えば流し台のコーナーに置かれる通称三角籠等に生ごみ袋として一般家庭で再利用されるためには、該ポリ袋に手軽に水切り用の穴あけをする工具が必要である。
【０００３】
下記文献にポリ袋の水切り用の穴をあける各種の工具類が公表されているが、いずれも穴あけ用の突起や刃を多数取り付けた複雑な構造となっておりサイズも大きく高価であると推定されるため、一般家庭で使用されにくいと思われる。
【先行技術文献】
【特許文献】
【０００４】
【特許文献１】特開２００１−１２１４９４
【特許文献２】実開平６−１７９２６
【発明の概要】
【発明が解決しようとする課題】
【０００５】
スーパー等で購入した肉類、魚介類や水漏れしそうな品物を自分自身で包装するためにロール状で用意された持ち手のない薄いポリ袋等を、使用後に水切り用の穴をあけて生ごみ袋として一般の家庭で再利用されるために、該ポリ袋に使用する簡単な構造で安全安価な水切り用穴あけ具を提供する。
【課題を解決するための手段】
【０００６】
本発明は、上方端面に針状の突き刺し針を有し、下方端面に吸着盤を取り付けた丸棒状の支柱と、円筒状で圧縮コイルバネを内蔵し該支柱に上下方向移動可能な状態に差し込み上端部に受台を有する移動体とからなる簡素な構造となっている。
【０００７】
また穴あけは、両手で保持したポリ袋を該受台に押し当て下方に押し下げることにより該突き刺し針にて行われる。
【発明の効果】
【０００８】
本発明は、構成部品点数が少なく簡単な構造でかつサイズも小さく安価であり、穴のあけられたポリ袋は外力に頼らず圧縮コイルバネの復元力と受台により突き刺し針から抜かれるため安全で操作がしやすく、吸着盤で安定した設置ができる。従って一般の家庭で使用する水切り用穴あけ具として適しておりポリ袋の再利用に役立つ。
【図面の簡単な説明】
【０００９】
【図１】本発明による実施形態の平面図である。
【図２】本発明による実施形態の正面図である。
【図３】図２の全断面図である。
【図４】図２の部分拡大図である。
【図５】図４のＡ−Ａ断面図である。
【図６】本発明により穴あけするポリ袋の斜視図である。
【図７】図６のポリ袋を折りたたんだ状態を示す斜視図である。
【図８】本発明の受台５に図７のポリ袋の穴あけ個所を押し当てた状態の正面図である。
【図９】移動体４を押し下げて穴あけ操作を示す正面図である。
【図１０】折りたたまれたポリ袋に水切り用の穴があけられた状態を示す斜視図である。
【図１１】穴のあけられたポリ袋を広げた状態を示す斜視図である。
【発明を実施するための形態】
【００１０】
本発明の実施形態について図面に従って説明する。図３は本発明の正面図である図２の全断面図であり上方端面に突き刺し針２、下方端面に吸着盤３を取り付けた丸棒状の支柱１に、上端部に受台５を一体的に取り付けた円筒状の移動体４を、内蔵した圧縮コイルバネ６とともに上下方向に移動可能な状態に差し込んで取り付けた構成となっている。該移動体４は圧縮コイルバネ６により外力の加わらない時は上方に押し上げられており、その状態においては突き刺し針２の先端部は受台５の内部に収納されるため安全かつ容易に該受台上に穴あけするポリ袋を押し当てることができる。
【００１１】
移動体４の上下方向の移動量の制限は部分拡大図４およびＡ−Ａ断面図５に示すように移動体４にあけられた長溝７および支柱１に取り付けたピン８により行われ、支柱１の下端面に取り付けた吸着盤３により本発明を平坦な面に固定できるため安定した状態で穴あけ作業を行うことができる。また保護キャップ９は本発明の未使用時、不注意に受台５が上部から押し下げられ突き刺し針２が現出して指や手に損傷を与えることを防いでいる。
【００１２】
本発明による穴あけ作業について説明する。図６のポリ袋１０を図７の１１のように折りたたみ、キャップ９を外した後図８、図９に示すようにある間隔をもって該ポリ袋１１を両手で保持し、該間隔の中間部を受台５上に当てた状態で両手を下方に押し下げることにより移動体４は圧縮コイルバネ６に抗して下方に押し下げられて該受台５から現出した突き刺し針２により水切り用穴１２があけられる。その後押し下げ力を開放すると該移動体４は該圧縮コイルバネ６の復元力により上方に押し上げられ該穴１２のあいた折りたたんだポリ袋１１は受台５により突き刺し針２から抜かれて一回目の穴あけ操作が完了する。本操作を繰り返して図１０に示すように必要な数の水切り用穴１２をあける。
【００１３】
ポリ袋１０は折りたたまれて図７の１１の状態で穴あけされるため一回の穴あけ操作で「２×折りたたみ数」の水切り用穴１２があけられる。図１０に示す穴あけ後のポリ袋１１を広げると図１１のようになる。
【実施例】
【００１４】
水切り用の穴のサイズは、実験の結果直径１ｍｍ〜２ｍｍが適当であるが本発明による穴あけ手段はパンチ方式による切り取り方式と異なり突き刺し方式であり穴あけ後の穴径の収縮が約３０％近く生ずるため突き刺し針２の直径を３ｍｍとした。また長さを５０ｍｍ、支柱１の直径を８ｍｍ、移動体４の直径を９ｍｍ、本発明の全高を約１３０ｍｍとした。移動体４の上下方向の移動量は約１４ｍｍとし、溝７とピン８により制限される。支柱１を簡単にかつ安定して平坦な面に設置にするため下端に柔軟性のある素材でできた吸着盤３を取り付けた。
【符号の説明】
【００１５】
１    支柱
２    突き刺し針
３    吸着盤
４    移動体
５    受台
６    圧縮コイルバネ
７    長溝
８    ピン
９    保護キャップ    
１０  ポリ袋
１１  折りたたんだポリ袋
１２  水切り用穴
【要約】
【課題】スーパー等で購入した肉類、魚介類や水漏れしそうな物品を自分自身で包装するためにロール状で用意された持ち手のない薄いポリ袋等を、使用後生ごみ袋として再利用する際、該ポリ袋に水切り用の穴をあけるため一般家庭で使用できる簡単な構成で安全で安価な水切り用穴あけ具を提供する。
【解決手段】上方端面に針状の突き刺し針２を有し下方端面に吸着盤３を取り付けた支柱１と、円筒状で圧縮コイルバネ６を内蔵し該支柱１に上下方向移動可能な状態に差し込み、上部に受台５を有する移動体４とから成るポリ袋の水切り用穴あけ具で、図８に示すように該ポリ袋を両手で保持し穴あけする位置を受台５に押し当てて図９に示すように保持したまま下方に押し下げ突き刺し針２により水切り用穴１２をあける。この動作を繰り返し適当な数の穴を順次あける。
【選択図】  図３【図１】
0006651222.tif 000002
【図２】
0006651222.tif 000003
【図３】
0006651222.tif 000004
【図４】
0006651222.tif 000005
【図５】
0006651222.tif 000006
【図６】
0006651222.tif 000007
【図７】
0006651222.tif 000008
【図８】
0006651222.tif 000009
【図９】
0006651222.tif 000010
【図１０】
0006651222.tif 000011
【図１１】
0006651222.tif 000012